(57)【要約】【課題】簡易な構成で、開閉器を仮設する際の切状態への切り替え忘れを防止することができる開閉器の運搬用格納架を提供する。【解決手段】開閉器７の運搬用格納架１は、複数の鋼材が直方体状に骨組みされ、上方から開閉器７を格納する格納架本体１０と、開閉器７の一方の面に傾動自在に設けられた操作ハンドル７ｈを開閉器７の内部スイッチが入状態となる第１位置に傾倒した状態に保持するための環状金具８と、を備える。環状金具８は、上方が開口された側面視略Ｃ字状の環本体８１と、一方の端部が環本体８１の一端に軸支され、他方の端部が環本体８１の他端に設けられたストッパ８１ａに当接した状態となるように付勢力が与えられたゲート杆８２と、を備える。【選択図】図６
2019134558.tif 000002
【特許請求の範囲】
【請求項１】
複数の鋼材が直方体状に骨組みされ、上方から開閉器を格納する格納架本体と、前記開閉器の一方の面に傾動自在に設けられた操作ハンドルを前記開閉器の内部スイッチが入状態となる位置に傾倒した状態に保持するための環状金具と、
を備え、
前記環状金具は、
上方が開口された側面視略Ｃ字状の環本体と、
一方の端部が前記環本体の一端に軸支され、他方の端部が前記環本体の他端に設けられたストッパに当接した状態となるように付勢力が与えられたゲート杆と、
を備える
開閉器の運搬用格納架。
【請求項２】
前記環状金具は、前記格納架本体に前記開閉器が格納されるとき、前記操作ハンドルによって前記ゲート杆が上方から押されて前記ゲート杆の他方の端部と前記ストッパとが離れ、前記ゲート杆が前記操作ハンドルに設けられた操作穴に挿通されて前記ゲート杆の他方の端部と前記ストッパとが当接する
請求項１に記載の開閉器の運搬用格納架。
【請求項３】
前記環状金具は、前記環本体が固定される台座を有し、前記台座が前記格納架本体を構成する前記鋼材に固定されている
請求項１又は２に記載の開閉器の運搬用格納架。
【請求項４】
前記格納架本体は、前記開閉器が前記格納架本体の所定位置に格納されるように、前記格納架本体に対して前記開閉器を位置決めする支持金具を備える
請求項１から３の何れか一項に記載の開閉器の運搬用格納架。
【請求項５】
前記環状金具は、前記ゲート杆の一部が樹脂カバーによって覆われている
請求項１から４の何れか一項に記載の開閉器の運搬用格納架。
【発明の詳細な説明】
【技術分野】
【０００１】
本発明は、開閉器の運搬用格納架に関する。
【背景技術】
【０００２】
例えば、高圧配電線路において、配電線の張り替え、支持碍子の交換、変圧器の上げ替え等の電気工事を実施する場合、工事用開閉器を工事区間の電柱に仮設して、臨時のバイパス回路を形成している。そして、このバイパス回路により、電気工事中も送電を継続している。
【０００３】
ところで、工事用開閉器は、普段、電力会社又は工事会社の営業所に工事用機材として常備されている。そして、工事があるときには、工事用開閉器を作業車に搭載して、工事現場に運搬している。又、工事が終了すれば、工事用開閉器を作業車に搭載して、営業所まで運搬されている。
【０００４】
このように、工事用開閉器は、作業車で運搬される頻度が多いので、衝突又は転倒などで工事用開閉器が損傷しないように、骨組みされた堅牢な運搬用格納架に確実に格納して、運搬している。
【０００５】
工事用開閉器は、工事用開閉器の内部に配置された電気スイッチ（以下、「内部スイッチ」と称する）を接続状態（以下「入」と称する）又は切断状態（以下「切」と称する）とするための操作ハンドルが設けられている。工事用開閉器を作業車で運搬するときは、振動により内部スイッチが損傷しないように、操作ハンドルを操作して内部スイッチを「入」としておくことが規定されている。
【０００６】
そして、工事現場に到着後には、工事用開閉器について以下の作業手順が規定されている。
（１）工事用開閉器を運搬用格納架から取り出した後に、操作ハンドルを操作して内部スイッチを「切」とする。
（２）工事用開閉器を電柱に吊り上げる前に、操作ハンドルが内部スイッチの「切」を示す位置となっていることを確認する。
（３）工事用開閉器を電柱に仮設後に、操作ハンドルが内部スイッチの「切」を示す位置となっていることを確認する。
（４）工事用開閉器に電源側の電線又は負荷側の電線を接続する前に、操作ハンドルが内部スイッチの「切」を示す位置となっていることを確認する。
【０００７】
上述したように、工事用開閉器を運搬用格納架から取り出してから工事用開閉器に電源側の電線又は負荷側の電線を接続するまでに、内部スイッチの「切」状態を複数回にわたり確認している。しかし、工事用開閉器は、内部スイッチが「入」状態であっても、運搬用格納架から取り出すことができる。このため、作業者が内部スイッチの「切」状態への切り替えを忘れて、内部スイッチが「入」状態で、電源側の電線又は負荷側の電線を接続する可能性がある。このようなヒューマンエラーによる事故を回避するため、操作ハンドルが内部スイッチの「切」を示す位置となっている場合のみ、運搬用格納架から工事用開閉器を取り出すことができる工事用開閉器の運搬用格納架が開示されている（例えば、特許文献１参照）。
【先行技術文献】
【特許文献】
【０００８】
【特許文献１】特開２０１６−９６６２８号公報
【発明の概要】
【発明が解決しようとする課題】
【０００９】
しかしながら、特許文献１に開示されたものは、運搬用格納架の構造が複雑化するという課題がある。
【００１０】
本発明は、上記を鑑みてなされたものであって、簡易な構成で、開閉器を仮設する際の切状態への切り替え忘れを防止することができる開閉器の運搬用格納架を提供する。
【課題を解決するための手段】
【００１１】
上述した課題を解決し、目的を達成するために、本発明の開閉器の運搬用格納架は、複数の鋼材が直方体状に骨組みされ、上方から開閉器を格納する格納架本体と、前記開閉器の一方の面に傾動自在に設けられた操作ハンドルを前記開閉器の内部スイッチが入状態となる位置に傾倒した状態に保持するための環状金具と、を備え、前記環状金具は、上方が開口された側面視略Ｃ字状の環本体と、一方の端部が前記環本体の一端に軸支され、他方の端部が前記環本体の他端に設けられたストッパに当接した状態となるように付勢力が与えられたゲート杆と、を備える。
【００１２】
本発明の望ましい態様として、前記環状金具は、前記格納架本体に前記開閉器が格納されるとき、前記操作ハンドルによって前記ゲート杆が上方から押されて前記ゲート杆の他方の端部と前記ストッパとが離れ、前記ゲート杆が前記操作ハンドルに設けられた操作穴に挿通されて前記ゲート杆の他方の端部と前記ストッパとが当接する。
【００１３】
本発明の望ましい態様として、前記環状金具は、前記環本体が固定される台座を有し、前記台座が前記格納架本体を構成する前記鋼材に固定されている。
【００１４】
本発明の望ましい態様として、前記格納架本体は、前記開閉器が前記格納架本体の所定位置に格納されるように、前記格納架本体に対して前記開閉器を位置決めする支持金具を備える。
【００１５】
本発明の望ましい態様として、前記環状金具は、前記ゲート杆の一部が樹脂カバーによって覆われている。
【発明の効果】
【００１６】
本発明によれば、簡易な構成で、開閉器を仮設する際の切状態への切り替え忘れを防止することができる開閉器の運搬用格納架を提供することができる。
【図面の簡単な説明】
【００１７】
【図１】図１は、工事用開閉器の構成を示す第１正面図である。
【図２】図２は、工事用開閉器の構成を示す第２正面図である。
【図３】図３は、工事用開閉器の構成を示す右側面図である。
【図４】図４は、実施形態に係る運搬用格納架の構成を示す正面図であり、工事用開閉器を運搬用格納架に格納した状態図である。
【図５】図５は、実施形態に係る運搬用格納架の構成を示す右側面図であり、工事用開閉器を運搬用格納架に格納した状態図である。
【図６】図６は、実施形態に係る運搬用格納架の図４に示すＡ−Ａ’線断面図である。
【図７】図７は、実施形態に係る運搬用格納架の図５に示すＢ−Ｂ’線断面図である。
【図８Ａ】図８Ａは、環状金具の構成の一例を示す右側面図である。
【図８Ｂ】図８Ｂは、図８Ａに示す環状金具の実線矢示図である。
【図９Ａ】図９Ａは、工事用開閉器を運搬用格納架に格納する際の環状金具の動作を示す第１図である。
【図９Ｂ】図９Ｂは、工事用開閉器を運搬用格納架に格納する際の環状金具の動作を示す第２図である。
【図９Ｃ】図９Ｃは、工事用開閉器を運搬用格納架に格納する際の環状金具の動作を示す第３図である。
【図９Ｄ】図９Ｄは、工事用開閉器を運搬用格納架に格納する際の環状金具の動作を示す第４図である。
【図９Ｅ】図９Ｅは、工事用開閉器を運搬用格納架に格納する際の環状金具の動作を示す第５図である。
【図１０】図１０は、工事用開閉器を運搬用格納架から取り出す際の手順を示す図である。
【図１１】図１１は、図８Ａとは異なる環状金具の構成の一例を示す右側面図である。
【発明を実施するための形態】
【００１８】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１９】
図１は、工事用開閉器の構成を示す第１正面図である。図２は、工事用開閉器の構成を示す第２正面図である。図３は、工事用開閉器の構成を示す右側面図である。
【００２０】
図４は、実施形態に係る運搬用格納架の構成を示す正面図であり、工事用開閉器を運搬用格納架に格納した状態図である。図５は、実施形態に係る運搬用格納架の構成を示す右側面図であり、工事用開閉器を運搬用格納架に格納した状態図である。
【００２１】
工事用開閉器（以下、開閉器とも称する）７は、例えば、電力会社又は工事会社の営業所に工事用機材として常備されている。図１から図３に示すように、開閉器７は、柱状の開閉器本体７０と、一次側（電源側）の電線を接続する複数の第１接続端子７１ｔと、二次側（負荷側）の電線を接続する第２接続端子７２ｔと、を備えている。また、開閉器７は、開閉器本体７０の内部に、第１接続端子７１ｔに接続された電線と第２接続端子７２ｔに接続された電線とを電気的に接続する入状態、又は、第１接続端子７１ｔに接続された電線と第２接続端子７２ｔに接続された電線とを電気的に切断する切状態に切り替え可能な内部スイッチを有している。
【００２２】
開閉器本体７０は、開閉器本体７０の内部スイッチが入状態となる第１位置（図１及び図２に示す例では、正面視右側に傾倒した位置）、及び、開閉器本体７０の内部スイッチが切状態となる第２位置（図１及び図２に示す例では、正面視左側に傾倒した位置）に傾倒可能な操作ハンドル７ｈを前面に備えている。図１では、操作ハンドル７ｈを第１位置に傾倒した例を示している。図２では、操作ハンドル７ｈを第２位置に傾倒した例を示している。
【００２３】
操作ハンドル７ｈは、支点７ｎによって開閉器本体７０に支持されている。以下、図１及び図２に示す正面視右側のアームを「入側アーム７ｈａ」と称し、図１及び図２に示す正面視左側のアームを、以下「切側アーム７ｈｂ」と称する。
【００２４】
操作ハンドル７ｈは、入側アーム７ｈａの端部に円形の操作穴７ａが設けられている。また、操作ハンドル７ｈは、切側アーム７ｈｂの端部に円形の操作穴７ｂが設けられている。操作穴７ａ，７ｂには、操作綱（図示せず）を係留できる。操作穴７ａ，７ｂの形状は、円形に限るものではなく、例えば、四角形等の多角形であっても良い。
【００２５】
開閉器７を電柱に設置した状態では、操作穴７ａ，７ｂにそれぞれ係留された一組の操作綱は、地面に向かって垂下される。
【００２６】
操作穴７ａに係留された操作綱を引っ張ると、操作ハンドル７ｈを第１位置に傾倒できる。これにより、開閉器本体７０の内部スイッチを接続状態にでき、電路を接続できる。
【００２７】
操作穴７ｂに係留された操作綱を引っ張ると、操作ハンドル７ｈを第２位置に傾倒できる。これにより、開閉器本体７０の内部スイッチを切断状態にでき、電路を切断できる。
【００２８】
また、開閉器７を待機又は運搬している状態では、操作穴７ｂにハンドルロック用のロープ（図示せず）を係留する態様であっても良い。これにより、操作ハンドル７ｈが入側に傾倒した状態を確実に維持できる。操作ハンドル７ｈに対するロープの係留を解除することで、操作ハンドル７ｈを切側に傾倒できる。
【００２９】
開閉器７の底面には、複数の設置脚７３が設けられている。また、開閉器７の両側面には、それぞれ開閉器本体７０から張り出してガードバー７４が設けられている。ガードバー７４の上部は、開閉器７を運搬する際の持ち手７４ａとして機能する。
【００３０】
図３に示すように、開閉器７は、鉤状の引掛け部７５を複数備えている。引掛け部７５は、開閉器本体７０の背面側に固定されている。引掛け部７５は、運搬用格納架１の背面に設けられた支持金具４１（後述）に掛け止めできる。
【００３１】
図４及び図５に示すように、実施形態に係る運搬用格納架１の格納架本体１０は、複数の等辺山形鋼、不等辺山形鋼、平形鋼等の鋼材の端部同士を互いに溶接で接合し、直方体状に骨組みしている。格納架本体１０は、四隅に位置する一対の前方架１ａ，１ｂ及び一対の後方架１ｃ，１ｄを備えている。
【００３２】
前方架１ａ，１ｂ及び後方架１ｃ，１ｄの底部には、底部架１ｅを固定している。底部架１ｅは、前方架１ａ，１ｂの下端部に水平状態に配置して横設された連結架１１ｅと、後方架１ｃ，１ｄの下端部に水平状態に配置して横設された連結架１２ｅと、前方架１ａ及び後方架１ｃの下端部に水平状態に配置して横設された連結架１３ｅと、前方架１ｂ及び後方架１ｄの下端部に水平状態に配置して横設された連結架１４ｅと、を備えている。
【００３３】
前方架１ａ，１ｂ及び後方架１ｃ，１ｄの上部には、上部架１ｆを固定している。上部架１ｆは、前方架１ａ，１ｂの上端部に水平状態に配置して横設された連結架１１ｆと、後方架１ｃ，１ｄの上端部に水平状態に配置して横設された連結架１２ｆと、前方架１ａ及び後方架１ｃの上端部に水平状態に配置して横設された連結架１３ｆと、前方架１ｂ及び後方架１ｄの上端部に水平状態に配置して横設された連結架１４ｆと、を備えている。
【００３４】
一対の前方架１ａ，１ｂには、水平状態に配置した複数の連結架１１ｇを横設している。同様に、一対の後方架１ｃ，１ｄには、水平状態に配置した複数の連結架１２ｇを横設している。前方架１ａと後方架１ｃには、水平状態に配置した複数の連結架１３ｇを横設している。同様に、前方架１ｂと後方架１ｄには、水平状態に配置した複数の連結架１４ｇを横設している。
【００３５】
底部架１ｅの連結架１２ｅ及び上部架１ｆの連結架１２ｆには、垂直状態に配置した一対の連結架１１ｈ，１２ｈを縦設している。
【００３６】
連結架１１ｈ，１２ｈは、両端部が直角に屈曲された支持金具４１を固定している。支持金具４１には、開閉器本体７０に設けられた鉤状の引掛け部７５の幅より僅かに大きい矩形の切り欠き部（図示せず）が設けられている。
【００３７】
格納架本体１０に開閉器７を格納する際、一対の持ち手７４ａ，７４ａを把持して、格納架本体１０の上方から、開閉器７を格納架本体１０の内部の所定位置に格納できる。このとき、開閉器本体７０に設けられた鉤状の引掛け部７５を、格納架本体１０の支持金具４１に設けられた切り欠き部に掛け止めする。これにより、格納架本体１０に対して開閉器７を位置決めできる。
【００３８】
また、格納架本体１０から開閉器７を取り出す際、一対の持ち手７４ａ，７４ａを把持して、開閉器７を引き上げることで、開閉器７を格納架本体１０から取り出すことができる。
【００３９】
開閉器７を格納架本体１０に格納した状態で、作業車で運搬するときは、振動により内部スイッチが損傷しないように、操作ハンドル７ｈを操作して内部スイッチが入状態となるように第１位置に傾倒しておくことが規定されている。
【００４０】
一方、開閉器７を仮設する際、開閉器７に一次側（電源側）の電線又は二次側（負荷側）の電線を接続するときには、操作ハンドル７ｈを操作して内部スイッチが切状態となるように第２位置に傾倒しておくことが規定されている。
【００４１】
以下、開閉器７を仮設する際に、内部スイッチの切状態への切り替え忘れを防止するための構成について説明する。
【００４２】
図６は、実施形態に係る運搬用格納架の図４に示すＡ−Ａ’線断面図である。図７は、実施形態に係る運搬用格納架の図５に示すＢ−Ｂ’線断面図である。
【００４３】
図６及び図７に示すように、実施形態に係る運搬用格納架１は、開閉器７を格納架本体１０に格納した際、操作ハンドル７ｈを第１位置に傾倒した状態に保持するための環状金具８を備えている。
【００４４】
図８Ａは、環状金具の構成の一例を示す右側面図である。図８Ｂは、図８Ａに示す環状金具の実線矢示図である。図８Ａ及び図８Ｂでは、開閉器７を格納架本体１０に格納した状態を示している。
【００４５】
図８Ａ及び図８Ｂに示すように、環状金具８は、上方が開口された略Ｃ字状の環本体８１と、一方の端部が環本体８１の一端にピン８４によって軸支され、他方の端部が環本体８１の他端に設けられたストッパ８１ａに当接した状態となるように、例えば板ばね（図示せず）等によって付勢力が与えられたゲート杆８２と、環本体８１が固定される台座８３と、を備えている。環本体８１は、例えば台座８３に溶接されて固定される。台座８３は、例えば格納架本体１０の底部架１ｅを構成する連結架１１ｅに溶接されて固定される。
【００４６】
環状金具８は、開閉器７を格納架本体１０に格納した状態において、ゲート杆８２が操作穴７ａに挿通され、ゲート杆８２の端部が環本体８１のストッパ８１ａに当接した状態となっている。操作穴７ａの貫通方向と、ゲート杆８２の操作穴７ａに対する挿通方向とは、一致している。
【００４７】
環状金具８の操作ハンドル７ｈに対する図８Ａに示す破線矢示方向の位置は、開閉器７を格納架本体１０に格納した状態、すなわち、操作ハンドル７ｈの入側アーム７ｈａの下端部が最下端位置Ｐにあるとき、ゲート杆８２に与えられた付勢力によってゲート杆８２の端部が環本体８１のストッパ８１ａに当接し、ゲート杆８２が操作穴７ａに挿通された状態となり得るＤの範囲に制限される。
【００４８】
また、環状金具８の操作ハンドル７ｈに対する図８Ｂに示す破線矢示方向の位置は、開閉器７を格納架本体１０に格納した状態において、ゲート杆８２に与えられた付勢力によってゲート杆８２の端部が環本体８１のストッパ８１ａに当接し、ゲート杆８２が操作穴７ａに挿通された状態となり得るＷの範囲に制限される。
【００４９】
図９Ａは、工事用開閉器を運搬用格納架に格納する際の環状金具の動作を示す第１図である。図９Ｂは、工事用開閉器を運搬用格納架に格納する際の環状金具の動作を示す第２図である。図９Ｃは、工事用開閉器を運搬用格納架に格納する際の環状金具の動作を示す第３図である。図９Ｄは、工事用開閉器を運搬用格納架に格納する際の環状金具の動作を示す第４図である。図９Ｅは、工事用開閉器を運搬用格納架に格納する際の環状金具の動作を示す第５図である。図９Ａから図９Ｅでは、操作ハンドル７ｈを第１位置に傾倒した状態で、開閉器７を格納架本体１０に格納する際の操作ハンドル７ｈと環状金具８との位置遷移を示している。
【００５０】
図９Ａから図９Ｅに示すように、操作ハンドル７ｈを第１位置に傾倒した開閉器７が格納架本体１０に格納されるとき、操作ハンドル７ｈが環状金具８に対して矢示方向に移動し（図９Ａ）、操作ハンドル７ｈの入側アーム７ｈａの下端部が環状金具８のゲート杆８２に当接し（図９Ｂ）、操作ハンドル７ｈの入側アーム７ｈａによってゲート杆８２が矢示方向に押され、環本体８１の一端にピン８４によって軸支されたゲート杆８２の一方の端部を軸として回動し、ゲート杆８２の他方の端部と環本体８１のストッパ８１ａとが離間して、環状金具８が開く（図９Ｃ）。
【００５１】
さらに操作ハンドル７ｈの入側アーム７ｈａによってゲート杆８２が矢示方向に押されると、ゲート杆８２の他方の端部と環本体８１のストッパ８１ａとがさらに離間し（図９Ｄ）、ゲート杆８２の端部がゲート杆８２に与えられた付勢力によって操作穴７ａの下端部から外れて、環本体８１の一端にピン８４によって軸支されたゲート杆８２の一方の端部を軸として回動し、環本体８１のストッパ８１ａに当接し、操作穴７ａにゲート杆８２が挿通した状態となる（図９Ｅ）。
【００５２】
これにより、開閉器７が格納架本体１０に格納されたとき、操作ハンドル７ｈは、第１位置に傾倒した状態に保持される。
【００５３】
図１０は、工事用開閉器を運搬用格納架から取り出す際の手順を示す図である。
【００５４】
図１０に示すように、開閉器７を格納架本体１０から取り出す際には、作業者がゲート杆８２を破線矢示方向に押し下げ、操作ハンドル７ｈを第２位置に傾倒させる。つまり、作業者が意図的に開閉器７の内部スイッチを切状態としない限り、開閉器７を格納架本体１０から取り出すことができない。
【００５５】
これにより、開閉器７を仮設する際に、内部スイッチの切状態への切り替え忘れを防止することができる。
【００５６】
図１１は、図８Ａとは異なる環状金具の構成の一例を示す右側面図である。
【００５７】
図１１に示すように、ゲート杆８２の一部が樹脂カバー８５で覆われた構成であっても良い。これにより、格納架本体１０に開閉器７を格納する際、互いに当接するゲート杆８２と操作ハンドル７ｈの入側アーム７ｈａの下端部との双方を保護することができる。
【００５８】
以上説明したように、実施形態に係る開閉器７の運搬用格納架１は、複数の鋼材が直方体状に骨組みされ、上方から開閉器７を格納する格納架本体１０と、開閉器７の一方の面に傾動自在に設けられた操作ハンドル７ｈを開閉器７の内部スイッチが入状態となる第１位置に傾倒した状態に保持するための環状金具８と、を備える。環状金具８は、上方が開口された側面視略Ｃ字状の環本体８１と、一方の端部が環本体８１の一端に軸支され、他方の端部が環本体８１の他端に設けられたストッパ８１ａに当接した状態となるように付勢力が与えられたゲート杆８２と、を備える。
【００５９】
このような構成において、環状金具８は、格納架本体１０に開閉器７が格納されるとき、操作ハンドル７ｈによってゲート杆８２が上方から押されてゲート杆８２の他方の端部とストッパ８１ａとが離れ、ゲート杆８２が操作ハンドル７ｈの入側アーム７ｈａの端部に設けられた操作穴７ａに挿通されてゲート杆８２の他方の端部とストッパ８１ａとが当接する。
【００６０】
これにより、操作ハンドル７ｈは、格納架本体１０に開閉器７が格納されたとき、第１位置に傾倒した状態に保持される。このため、作業者が意図的に開閉器７の内部スイッチを切状態としない限り、格納架本体１０から開閉器７を取り出すことができず、開閉器７を仮設する際の切状態への切り替え忘れを防止することができる。
【００６１】
また、開閉器７を格納架本体１０に格納した状態において、環状金具８の操作ハンドル７ｈに対する位置が、ゲート杆８２に与えられた付勢力によってゲート杆８２の端部が環本体８１のストッパ８１ａに当接し、ゲート杆８２が操作穴７ａに挿通された状態となり得る範囲に収まるように、環本体８１が固定される台座８３が格納架本体１０を構成する鋼材に固定され、格納架本体１０に対して開閉器７を位置決めする支持金具４１を備えていることが好ましい。
【００６２】
なお、上述した実施形態では、台座８３が格納架本体１０の底部架１ｅを構成する連結架１１ｅに固定される例を示したが、台座８３が連結架１１ｅに一体化された構成であっても良い。
【００６３】
また、環状金具８は、ゲート杆８２の一部が樹脂カバー８５によって覆われていても良い。これにより、格納架本体１０に開閉器７を格納する際、互いに当接するゲート杆８２と操作ハンドル７ｈの入側アーム７ｈａの下端部との双方を保護することができる。
【符号の説明】
【００６４】
１  運搬用格納架
７  開閉器（工事用開閉器）
７ａ，７ｂ  操作穴
７ｈ  操作ハンドル
７ｈａ  入側アーム
７ｈｂ  切側アーム
７ｎ  支点
８  環状金具
１０  格納架本体
４１  支持金具
７０  開閉器本体
７１ｔ  第１接続端子
７２ｔ  第２接続端子
７３  設置脚
７４  ガードバー
７４ａ  持ち手
７５  引掛け部
８１  環本体
８１ａ  ストッパ
８２  ゲート杆
８３  台座
８４  ピン
８５  樹脂カバー
【図１】
2019134558.tif 000003
【図２】
2019134558.tif 000004
【図３】
2019134558.tif 000005
【図４】
2019134558.tif 000006
【図５】
2019134558.tif 000007
【図６】
2019134558.tif 000008
【図７】
2019134558.tif 000009
【図８Ａ】
2019134558.tif 000010
【図８Ｂ】
2019134558.tif 000011
【図９Ａ】
2019134558.tif 000012
【図９Ｂ】
2019134558.tif 000013
【図９Ｃ】
2019134558.tif 000014
【図９Ｄ】
2019134558.tif 000015
【図９Ｅ】
2019134558.tif 000016
【図１０】
2019134558.tif 000017
【図１１】
2019134558.tif 000018